(57)【要約】【課題】ワイヤの各側の自由端に配置されるスプリングの弾性力にばらつきがあったとしても、このばらつきを容易に修正して、２つのキャリッジが平行な位置関係となるように、ワイヤのテンション調整作業を確実に行うことができる画像読込装置のワイヤ調整機構及びワイヤ調整方法の提供を提供する。【解決手段】駆動機構に、キャリッジ２、３の両側に位置する各ワイヤ４の一方側４Ａの末端部を支持する第１調整板２４と、キャリッジ２、３の両側に位置する各ワイヤの他方側４Ｂの末端部を振動吸収部材であるスプリング８を介して支持する第２調整板３０とを設け、ワイヤ４の第１調整板２４及び第２調整板３０を、該ワイヤ４の長さ方向に沿って位置調整可能に設ける。【選択図】図１
2009237396.tif 000002
【特許請求の範囲】
【請求項１】
原稿が載置される原稿台ガラスが上面に取り付けられたフレームと、該フレームの幅方向に沿って走行する第１キャリッジと、前記フレームの幅方向に沿うようにかつ該第１キャリッジの半分の速度で走行される第２キャリッジと、これらキャリッジの両側に設けられて該キャリッジを走行させる一対のワイヤを有する駆動機構とを具備し、該駆動機構によって、前記キャリッジを駆動して原稿台ガラス上の原稿を走査する画像読込装置における前記ワイヤの調節機構であって、
前記駆動機構には、前記キャリッジの両側に位置する各ワイヤの一方側の末端部を支持する固定端と、前記キャリッジの両側に位置する各ワイヤの他方側の末端部を振動吸収部材であるスプリングを介して支持する自由端とが設けられてなり、
前記ワイヤの固定端及び自由端は、該ワイヤの長さ方向に沿って位置調整可能に設けられていることを特徴とする画像読込装置のワイヤ調整機構。
【請求項２】
原稿が載置される原稿台ガラスが上面に取り付けられたフレームと、該フレームの幅方向に沿って走行する第１キャリッジと、前記フレームの幅方向に沿うようにかつ該第１キャリッジの半分の速度で走行される第２キャリッジと、これらキャリッジの両側に設けられて該キャリッジを走行させる一対のワイヤを有する駆動機構とを具備し、該駆動機構によって、前記キャリッジを駆動して原稿台ガラス上の原稿を走査する画像読込装置における前記ワイヤの調節方法であって、
前記キャリッジの両側に位置する各ワイヤの一方側の末端部を支持する固定端と、前記キャリッジの両側に位置する各ワイヤの他方側の末端部を振動吸収部材であるスプリングを介して支持する自由端とを、該ワイヤの長さ方向に沿って各位置を調整することを特徴とする画像読込装置のワイヤ調整方法。
【請求項３】
原稿が載置される原稿台ガラスが上面に取り付けられた本体フレームと、該本体フレームの幅方向に沿って走行する第１キャリッジと、前記本体フレームの幅方向に沿うようにかつ該第１キャリッジの半分の速度で走行される第２キャリッジと、これらキャリッジの両側に設けられて該キャリッジを走行させる一対のワイヤを有する駆動機構と、請求項１記載のワイヤ調節機構とを具備する画像読込装置を備えることを特徴とする画像形成装置。
【発明の詳細な説明】
【技術分野】
【０００１】
本発明は、コピー、スキャナーなどに使用される画像読込装置のワイヤ調整機構及びワイヤ調整方法、並びに画像形成装置に関するものである。
【背景技術】
【０００２】
従来、この種の画像読込装置として、特許文献１に示される走査装置が知られている。この特許文献１に示される走査装置１は、図３に示されるように、原稿が載置される原稿台ガラスが上面に取り付けられたフレーム（図示略）と、該フレームの幅方向に沿って走行する第１キャリッジ２と、フレームの幅方向に沿うようにかつ第１キャリッジ２の半分の速度で走行される第２キャリッジ３と、これらキャリッジ２、３の両側に設けられて該キャリッジ２、３を共に走行させる一対のワイヤ４（図では片側のみ記載）を有する駆動機構５とを具備する。
【０００３】
そして、この駆動機構５では、第１キャリッジ２及び第２キャリッジ３を２：１の速度比で駆動することにより、該キャリッジ２、３に搭載されたキセノンランプ及びミラーによって原稿台ガラス上の原稿の画像光を、レンズを介してＣＣＤに結像させる。すなわち、第１キャリッジ２はフルレートキャリッジとして、第２キャリッジ３はハーフレートキャリッジとして機能している。
【０００４】
駆動機構５は、走査装置の２つのキャリッジ２、３の両側に平行に配置されて、連動駆動される一対のワイヤ４を有するものであって、それぞれのワイヤ４は、一端部が支持部材である調整板６で支持され、他端部が抵抗付与ガイド７、振動吸収部材であるスプリング８を介して支持ブラケット９で支持されている。
【０００５】
また、各ワイヤ４は、キャリッジ２、３の移動方向（矢印Ａ−Ｂ方向）に沿う前後端部に配置したアイドラプーリ１０、１１に支持され、各ワイヤ４の中間部にある駆動軸１２に設けたキャプスタンプーリ１３を介して駆動される。また、各ワイヤ４は、第１キャリッジ２に対して固定部１４で固定され、第２キャリッジ３に対してプーリ１５に巻き掛けられている。
【０００６】
すなわち、各ワイヤ４は、駆動軸１２のキャプスタンプーリ１３を挟んで一方側（符号４Ａで示す）が、アイドラプーリ１０、第１キャリッジ２の固定部１４、プーリ１５を介して調整板６に連結され、また、駆動軸１２のキャプスタンプーリ１３を挟んで他方側（符号４Ｂで示す）が、アイドラプーリ１１、プーリ１５、抵抗付与ガイド７、スプリング８を介して支持ブラケット９に連結されている。そして、このような駆動機構５により、駆動軸１２のキャプスタンプーリ１３を正逆方向に駆動することにより、２つのキャリッジ２、３を、走査方向Ａと、リターン方向Ｂに向けてそれぞれ連動して走行させ、これによって原稿の画像走査が行なわれるようになっている。
【特許文献１】特許第３３６５３６１号公報
【発明の開示】
【発明が解決しようとする課題】
【０００７】
ところで、上記の画像読込装置１の駆動機構５では、各ワイヤ４の一端部側（固定端側）に設けた調整板６の位置を調整することによって、一端部側のワイヤ４のテンションを調整している。また、他端部側（自由端側）については、スプリング７の弾性力によって各ワイヤ４のテンションが均一となるようにある程度は調整されるものの、これらスプリングの弾性力の相違から、２本のワイヤ４のテンションにばらつきが生じることもあり、この点について改善が求められていた。
【０００８】
本発明は、上述する問題点に鑑みてなされたもので、ワイヤの各側の自由端に配置されるスプリングの弾性力にばらつきがあったとしても、このばらつきを容易に修正して、２つのキャリッジが平行な位置関係となるように、ワイヤのテンション調整作業を確実に行うことができる画像読込装置のワイヤ調整機構及びワイヤ調整方法の提供を目的とする。
【課題を解決するための手段】
【０００９】
上記課題を解決するために、本発明の画像読込装置のワイヤ調節機構は、原稿が載置される原稿台ガラスが上面に取り付けられたフレームと、該フレームの幅方向に沿って走行する第１キャリッジと、前記フレームの幅方向に沿うようにかつ該第１キャリッジの半分の速度で走行される第２キャリッジと、これらキャリッジの両側に設けられて該キャリッジを走行させる一対のワイヤを有する駆動機構とを具備し、該駆動機構によって、前記キャリッジを駆動して原稿台ガラス上の原稿を走査する画像読込装置における前記ワイヤの調節機構であって、前記駆動機構には、前記キャリッジの両側に位置する各ワイヤの一方側の末端部を支持する固定端と、前記キャリッジの両側に位置する各ワイヤの他方側の末端部を振動吸収部材であるスプリングを介して支持する自由端とが設けられてなり、前記ワイヤの固定端及び自由端は、該ワイヤの長さ方向に沿って位置調整可能に設けられていることを特徴とする。
【００１０】
また、本発明の画像読込装置のワイヤ調節方法は、原稿が載置される原稿台ガラスが上面に取り付けられたフレームと、該フレームの幅方向に沿って走行する第１キャリッジと、前記フレームの幅方向に沿うようにかつ該第１キャリッジの半分の速度で走行される第２キャリッジと、これらキャリッジの両側に設けられて該キャリッジを走行させる一対のワイヤを有する駆動機構とを具備し、該駆動機構によって、前記キャリッジを駆動して原稿台ガラス上の原稿を走査する画像読込装置における前記ワイヤの調節方法であって、
前記キャリッジの両側に位置する各ワイヤの一方側の末端部を支持する固定端と、前記キャリッジの両側に位置する各ワイヤの他方側の末端部を振動吸収部材であるスプリングを介して支持する自由端とを、該ワイヤの長さ方向に沿って各位置を調整することを特徴とする。
【００１１】
次に、本発明の画像形成装置は、原稿が載置される原稿台ガラスが上面に取り付けられた本体フレームと、該本体フレームの幅方向に沿って走行する第１キャリッジと、上記本体フレームの幅方向に沿うようにかつ該第１キャリッジの半分の速度で走行される第２キャリッジと、これらキャリッジの両側に設けられて該キャリッジを走行させる一対のワイヤを有する駆動機構と、本発明のワイヤ調節機構とを具備する画像読込装置を備えることを特徴とする。
【発明の効果】
【００１２】
本発明では、ワイヤの固定端及び自由端を、該ワイヤの長さ方向に沿って位置調整可能としたので、これらワイヤの固定端及び自由端により２本のワイヤのバランスを見ながら、これらワイヤのテンションを調整することができる。これにより、各側のワイヤの自由端に配置されるスプリングの弾性力にばらつきがあったとしても、このばらつきを修正して、２つのキャリッジが平行な位置関係となるように、確実にワイヤのテンション調整作業を行うことが可能となる。
【発明を実施するための最良の形態】
【００１３】
以下、図面を参照して、本発明に係る画像読込装置のワイヤ調節機構及びワイヤ調節方法、並びに画像形成装置の一実施形態について説明する。なお、以下の図面において、各部材を認識可能な大きさとするために、各部材の縮尺を適宜変更している。
【００１４】
（画像読込装置のワイヤ調節機構及びワイヤ調節方法）
図１及び図２に示されるように、画像読込装置１００の基本構成は、図３に示す画像読込装置１と同じであり、構成を共通とする箇所に同一符号を付して重複した説明を省略する。
すなわち、図１及び図２に示される画像読込装置１００においても、原稿の画像を読み取る際には、第１キャリッジ２及び第２キャリッジ３を、本体フレーム２０の長さ方向である矢印Ａ−Ｂ方向に走査しつつ、原稿台ガラス３上に載置された原稿に、キセノンランプ（図示略）からの光を照射する。その後、原稿に光を照射することにより得られた画像光は、その光路が第１キャリッジ２上のミラー２１にて折り曲げられた後、第２キャリッジ３のミラー２２にて折り曲げられ、その進行方向が転換される。
その後、当該画像光は、レンズを介してＣＣＤに結像され、該ＣＣＤにてその画像データが読み取られる。
【００１５】
次に、図１及び図２を参照して、画像読込装置１００のワイヤ調整機構１０１について説明する。
【００１６】
このワイヤ調整機構１０１は、第１キャリッジ２及び第２キャリッジ３を駆動させるための駆動機構２３に係るものであるが、この駆動機構２３は、従来の図３に示す駆動機構５と基本構成が同一であるために、以下、相違する箇所について説明する。
【００１７】
図１及び図２に示すように、ワイヤ調節機構１０１は、固定端となる第１調整板２４、２４を備える。この第１調節板２４は、キャリッジ２、３の各側にそれぞれ位置するワイヤ４の一方側（符号４Ａで示す）の末端部を、連結金具２５を介して支持している。
これら各側の第１調整板２４は、本体フレーム２０に固定される固定板２６と、該固定板２６に直立するように設けられてワイヤ４の連結金具２５が連結される支持板２７とから構成されるＬ字状板である。
【００１８】
また、第１調整板２４の固定板２６には、長孔２８が形成されている。該長孔２８は、キャリッジ２、３の走行方向でありかつワイヤ４の長さ方向である矢印Ａ−Ｂ方向に配置されるものであって、該長孔２８内には、取付ねじ２９が本体フレーム２０に螺合されるようになっている。
そして、このような構成により、取付ねじ２９に対して固定板２６の長孔２８を移動させることによって、ワイヤ４の長さ方向に第１調整板２４を位置調整可能に設けることができ、これによって駆動軸１２のキャプスタンプーリ１３を挟んで一方側４Ａのワイヤ４のテンションを調整することができる。
【００１９】
また、図１及び図２に示すように、ワイヤ調節機構１０１は、自由端となる第２調整板３０、３０を備える。この第２調節板３０は、キャリッジ２、３の各側にそれぞれ位置するワイヤ４の他方側（符号４Ｂで示す）の末端部を、連結金具３１を介して支持している。これら各側の第２調整板３０は、本体フレーム２０に固定される固定板３２と、該固定板３２に直立するように設けられてワイヤ４の連結金具３１が連結される支持板３３とから構成されるＬ字状板である。
【００２０】
また、第２調整板３０の固定板３２には、長孔３４が形成されている。該長孔３４は、ワイヤ４の長さ方向に配置されるものであって、該長孔３４内には、取付ねじ３５が本体フレーム２０に螺合されるようになっている。
そして、このような構成により、取付ねじ３５に対して固定板３２の長孔３４を移動させることによって、ワイヤ４の長さ方向に、第２調整板３０を位置調整可能に設けることができ、これによって駆動軸１２のキャプスタンプーリ１３を挟んで他方側４Ｂのワイヤ４のテンションを調整することができる。
【００２１】
次に、上記のように構成されたワイヤ調整機構１０１によるワイヤ４のテンション調整方法について説明する。
【００２２】
まず、ワイヤ４を調整するに際して、冶具によって２つのキャリッジ２、３が平行状態となるようにこれらキャリッジ２、３を互いに固定し、かつ駆動軸１２のキャプスタンプーリ１３をフリーな状態にしておく。
【００２３】
その後、取付ねじ２９により第１調整板２４の取付位置、取付ねじ３５により第２調整板３０の取付位置を調整することにより、一方側４Ａのワイヤ４のテンション、他方側４Ｂのワイヤ４のテンションを調整する。
【００２４】
その後、キャリッジ２、３を固定する冶具を取り外すことで、ワイヤ４のテンション調整作業を完了する。なお、ワイヤ４の一方側４Ａ及び他方側４Ｂのテンションは、プッシュプルゲージなどの荷重測定装置の測定値を見ながら均一となるように調整する。
【００２５】
上記のように構成された画像読込装置１００のワイヤ調整機構１０１及び該ワイヤ調整機構１０１を用いたワイヤ調整方法によれば、キャリッジ２、３の両側に位置する各ワイヤ４の一方側４Ａの末端部を支持する第１調整板２４（固定端）と、前記キャリッジの両側に位置する各ワイヤ４の他方側４Ｂの末端部を振動吸収部材であるスプリング８を介して支持する第２調整板３０（自由端）とを設け、これらワイヤ４の各端部に連結される調整板２４、３０を、該ワイヤ４の長さ方向に沿って位置調整可能としたので、これらワイヤ４に連結される調整板２４、３０により２本のワイヤ４のバランスを見ながら、これらワイヤ４のテンションを調整することができる。
これにより、他方側４Ｂのワイヤ４に配置されるスプリング７の弾性力にばらつきがあったとしても、このばらつきを修正して、２つのキャリッジが平行な位置関係となるように、確実にワイヤ４のテンション調整作業を行うことができる。
【００２６】
（画像形成装置）
次に、図４を参照して上記画像読取装置を備える画像形成装置について説明する。なお、以下の説明においては、画像形成装置の一例として複写機を挙げて説明するが、本発明はこれに限られるものではなく、例えば、プリンタ、ファクシミリ及び複合機等の画像形成装置に適用することができる。
【００２７】
図４は、本実施形態における複写機１０００を示す斜視図である。
複写機１０００は、図４に示すように、原稿の画像を読み取る画像読取装置２００と、画像読取装置２００の原稿読取位置に原稿を給送する自動原稿送り装置３００と、画像が形成される印刷用紙（記録媒体）を収納する用紙カセット４００と、複写機１０００を操作する操作装置５００とを有する構成となっている。そして、画像読取装置２００として、上記実施形態の画像読取装置１が用いられている。
また、複写機１の内部には、画像読取装置２００で読み取った画像を記憶する画像記憶部と、記憶された画像を画像処理する画像処理部と、画像処理されたデータを基に印刷処理（画像形成）をする印刷部と、複写機１０００の全体動作を制御する制御部とを備える構成となっている。
【００２８】
画像読取装置２００は、例えば、原稿の画像を読み取るＣＣＤ（Charge Coupled Device）ラインセンサ等を備えるスキャナーを有する構成となっており、制御部の制御の下、自動原稿送り装置３００から供給された原稿の画像をスキャナーで読み取り、原稿画像の形状や色彩等の画像データを画像記憶部に出力する構成となっている。
【００２９】
画像記憶部は、ハードディスク等の外部記憶装置或いは／及び半導体メモリ等から構成されており、制御部の制御の下、画像読取装置２００から入力された画像データを書き込み記憶すると共に、当該画像データを読み出して画像処理部へ出力する構成となっている。
【００３０】
画像処理部は、制御部の制御の下、画像記憶部から入力された原稿の画像データ（ＲＧＢ型式画像データ）に各種の画像処理を施すと共に、当該画像処理によって生成された画像データ（ＲＧＢ型式画像データ）を印刷形式の画像データ（ＣＭＹＫ型式画像データ）に変換して印刷部に出力するものである。
【００３１】
印刷部は、制御部の制御の下、用紙カセット３００に収納された印刷用紙を搬送しつつ当該印刷用紙にトナーを付着させることにより、画像処理部から入力された画像データに基づいて印刷用紙に画像を形成するものであり、感光ドラム、露光装置、定着装置等を備える構成となっている。
【００３２】
制御部は、ＣＰＵ（Central Processing Unit）、ＲＯＭ（Read Only Memory）やＲＡＭ（Random Access Memory）等の内部メモリから成る電子部品及び電子回路等、並びに各種構成機器とのデータ授受を行う入出力インターフェース回路等から構成されている。
【００３３】
このような本実施形態の複写機１０００によれば、上記画像読取装置２００にて上述の画像読取装置１におけるワイヤ調節機構及びワイヤ調節方法と同様の効果を奏する。
【００３４】
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００３５】
【図１】本発明の一実施形態に係るワイヤ調節機構及びワイヤ調節方法を用いる画像読込装置を示す斜視図である。
【図２】本発明の一実施形態に係るワイヤ調節機構及びワイヤ調節方法を用いる画像読込装置の左側面図である。
【図３】従来の画像読込装置を示す概略構成図である。
【図４】本発明の一実施形態に係る画像形成装置である複写機の斜視図である。
【符号の説明】
【００３６】
２……第１キャリッジ、３……第２キャリッジ、４……ワイヤ、４Ａ……ワイヤ４の一方側、４Ｂ……ワイヤ４の他方側、８……スプリング、２０……本体フレーム、２３……駆動機構、２４……第１調整板（固定端）、３０……第２調整板（自由端）、１００……画像読込装置、１０１……ワイヤ調整機構、１０００……複写機、２００……画像読込装置
【図１】
2009237396.tif 000003
【図２】
2009237396.tif 000004
【図３】
2009237396.tif 000005
【図４】
2009237396.tif 000006